(57)【要約】【課題】プリント（反射プリント）の画像中の鮮やかな色の再現性を向上させることが可能な、プリントの作成方法を提供すること。【解決手段】出力媒体の色再現領域内における高彩度の各色の最小濃度値を、全画像領域内における白色部の濃度よりも低い濃度として再現することを特徴とするプリントの作成方法。ここで、高彩度の領域は、Ｃ＊　ａｂ，Ｌ＊　の値から決定することが好ましい。【選択図】図１
2004125910.tif 000002
【特許請求の範囲】
【請求項１】
出力媒体の色再現領域内における高彩度の色について、各色の最小濃度値を、全画像領域内における白色部の濃度よりも低い濃度として再現することを特徴とするプリントの作成方法。
【発明の詳細な説明】
【０００１】
【発明の属する技術分野】
本発明はプリントの作成方法に関し、特に、観察時に見かけ上、彩度（鮮やかさ）が増して見えるプリントを作成する方法に関する。
【０００２】
【従来の技術】
透過画像系のカラーリバーサルフィルムは、０〜約３．　５の広い濃度再現域を有しており、かつ、透過光で観察されるため、彩度の高い鮮やかな色が再現され、優れた描写力を持っている。また、カラーリバーサルフィルムは、暗いところで観察するので、周囲に白色と認識される部分がないことも、好影響を与えている。
なお、カラーネガフィルムによる撮影の場合でも、カラーネガフィルム自体には、極めて露光領域の広い情報が記録されている。
【０００３】
しかしながら、カラーリバーサルフィルムまたはカラーネガフィルムから、反射プリント（通常のプリント、以下、単にプリントという）を作成して観察する場合には、濃度再現域が最大でも２．　５程度であること、また、観察者は、視野に入る白色（周囲の物体やプリント画像の外枠など）や、プリント画像内の最小濃度の白色部を基準として知覚するので、彩度の高い鮮やかな色の再現は、カラーリバーサルフィルムの場合には及ばず、限界がある。
【０００４】
さらに、プリントを作成する場合には、透過画像系と同じ発色色材を用いても、その分光反射率は、透過画像系の場合よりもブロードなものとなり、これも再現色の彩度低下の原因となっている。
【０００５】
これに対して、従来は、より鮮やかな色を再現するために、
（１）プリント材料の発色層の下に鏡面反射層を設ける
（２）プリント材料の発色層の下に再帰反射性を持つ白色反射層を設ける
（３）プリントの周囲の白枠をなくすか、見えないようにして、周囲をグレイの台紙で囲う
（４）展示する場合、プリント画像部分を、周囲より明るく照明する
などの工夫がなされているが、これだけでは十分とはいえない。
【０００６】
【発明が解決しようとする課題】
本発明は、上記事情に鑑みてなされたもので、その目的とするところは、従来の技術における問題を解消し、プリント（反射プリント）の画像中の鮮やかな色の再現性を向上させる、プリントの作成方法を提供することにある。
【０００７】
いいかえれば、本発明の目的は、実際には（数値的には、の意）微差であっても、観察時に見かけ上、鮮やかさ，透明感が増して見えるプリントの作成方法を提供する点にある。
【０００８】
【課題を解決するための手段】
上記目的を達成するため、本発明に係るプリントの作成方法は、出力媒体の色再現領域内における高彩度の色について、各色の最小濃度値を、全画像領域内における白色部の濃度よりも低い濃度として再現することを特徴とする。
【０００９】
いいかえれば、本発明に係るプリントの作成方法においては、出力媒体の色再現領域内における高彩度で明るい色の最小濃度値を、周囲（プリントの枠外）もしくはプリント画像中の白色と認識される色の最小濃度値よりも低く再現することで、視覚的に鮮やかさ（彩度，透明感）が増して見えるプリントを作成することを特徴とする。
【００１０】
また、本発明に係るプリントの作成方法においては、前述の方法に加えて、出力媒体の色再現領域における高彩度で濃度の高い色について、その色の補色の濃度を低下させるようにしてもよい。
【００１１】
この方法は、プリント画像中の鮮やかな色（例えば、赤）の部分において、その補色（ここでは、シアン）の濃度を低下させることで、鮮やかな色の彩度，透明感が向上したように見えるプリントを作成することを特徴とする。
【００１２】
なお、本発明において、高彩度の明るい色とは、例えば、出力媒体の色再現領域を、ＣＩＥ（１９７６）Ｌ＊　ａ＊　ｂ＊　色空間に基づいたメトリック・クロマＣ＊　ａｂ，Ｌ＊　座標系で表わした場合に、Ｃ＊　ａｂ，Ｌ＊　座標それぞれが、上述の領域内で高い値を占める色を指す。
また、本発明において高彩度で濃度の高い色とは、上の例で、Ｃ＊　ａｂ座標は上述の領域内で高い値を占めるが、Ｌ＊　座標は低い値にある部分を指す。
【００１３】
ただし、高彩度の色の定義はこれに限定されるものではなく、Ｃ＊　ａｂ，Ｌ＊　座標系で表わした出力媒体の色再現領域内で、例えば、Ｃ＊　ａｂの値がその最大値（Ｃ＊　ｍａｘ　）の３０％以上であり、かつ、Ｌ＊　の値がその範囲の７０％以上である場合を、高彩度の明るい色と定義することも可能である。
また、高彩度で濃度の高い色についても、例えば、Ｃ＊　ａｂの値がその最大値（Ｃ＊　ｍａｘ　）の３０％以上であり、かつ、Ｌ＊　の値がその範囲の３０％以下である場合等と、定義することが可能である。
ここで、Ｌ＊　の範囲はメトリック色相角により変わるので、対象とするメトリック色相角におけるＬ＊　の範囲に対してのパーセンテージで表わしている。
【００１４】
なお、Ｃ＊　ａｂの最大値（Ｃ＊　ｍａｘ　）は色相によっても大きく変化するので、実際の演算処理においては、Ｌ＊　およびメトリック色相角ｈａｂとＣ＊　ｍａｘ　との関係を、出力媒体毎にテーブル（二次元テーブル）化しておいて、濃度測定値からの変換に用いることが好ましい。
【００１５】
【発明の実施の形態】
以下、本発明の実施の形態を詳細に説明する。
【００１６】
まず、第１の実施例として、画像領域中の鮮やかな色の部分では、その最小濃度を、白色と認識される色の最低濃度より低く再現したプリントを作成する例を説明する。
【００１７】
カラーリバーサルフィルム（富士写真フイルム（株）製：ＰＲＯＶＩＡ）を用いて撮影した画像を、カラースキャナ（大日本スクリーン製造（株）製：ＳＧ１０００Ａ）を用いて入力した。この画像データを解析濃度に変換して、等価中性濃度（以下、ＥＮＤという）が等しくなるように（富士写真フイルム（株）製：ＦＵＪＩＣＯＬＯＲ　　ＰＡＰＥＲ　　ＰＲＯＬＡＳＥＲ　　Ｇを使用して）プリントに再現した。
【００１８】
濃度値は、三色同時測定濃度計（富士写真フイルム（株）製）を用いて測定したが、この濃度値は、出力感材に用いられている発色色材の分光反射率特性に依存するので、３色の濃度値がＥＮＤと同じ値になるように規格化した。また、ここでの規格化は、発色濃度を変化させた単色発色試料の分光反射率を測定した結果から、濃度値を、ＥＮＤを変数とする下記の式（１）〜式（３）のような係数として表わされる。この係数は、一定値とならない場合があることから、以下に説明する実施例では、係数を用いる代わりに、一次元ＬＵＴ（ルックアップテーブル）を作成して用いた。
【００１９】
この関係は、下記の式（１）〜式（３）で表わされる。
【数１】
2004125910.tif 000003
【００２０】
上で求めた係数Ｆｂ　，Ｆｇ　，Ｆｒ　を用いて、先に作成したプリントの濃度測定結果Ｄｂ０，Ｄｇ０，Ｄｒ０を規格化すると、規格化した濃度値Ｄｂ０，Ｄｇ０，Ｄｒ０は、下記の式（４）〜式（６）で表わされる。
【数２】
2004125910.tif 000004
前述のように、係数Ｆｂ　，Ｆｇ　，Ｆｒ　は一定値とならない場合があることから、本実施例では、係数を用いる代わりに、一次元ＬＵＴを作成して用いた。
【００２１】
なお、出力感材の最小濃度より低い濃度は再現できないので、下記の式（７）〜式（９）により、画像中の無彩色に近い色の濃度をシフトし、彩度の高い色の最小濃度値との差を大きくするようにした。彩度の高い色については、濃度変化がないように、中間の彩度の色については徐々に変化するようにした画像データを作成し、レーザビームプリンタ（富士写真フイルム（株）製：ＰＨＩＳＵＬ）で出力した。
【００２２】
すなわち、濃度修正後の濃度をＤ、元の濃度をＤ０　、濃度シフト量をｄＤとし、濃度シフト量ｄＤは各画素の彩度（メトリック・クロマ値Ｃ＊　ａｂ）により、連続的に変わるようにした。濃度シフト量を一定量変化させる領域の範囲をＣ＊　ａｂ≦Ｃ＊　ａｂＬ以下、徐々に変化させる範囲をＣ＊　ａｂＬ≦Ｃ＊　ａｂ＜Ｃ＊　ａｂＨとすると、次のようになる。
【００２３】
【数３】
2004125910.tif 000005
なお、式（７）〜式（９）においては、Ｄ，Ｄ０　，ｄＤは各色毎に計算されるものであり、式（７）〜式（９）での記載では、それを、Ｄ（ｂ，ｇ，ｒ）等と示している。
【００２４】
具体例として、Ｃ＊　ａｂの上限Ｃ＊　ａｂＨを３０．　０、Ｃ＊　ａｂの下限Ｃ＊　ａｂＬを１０．　０とし、ｄＤを０．　１とした画像データを作成し、これを用いて、上述のレーザプリンタでカラープリント感材上に出力し、プリントを作成した。
【００２５】
こうして作成したプリントは、画像中の白色部分に比較して、鮮やかな明るい色（ここでは、例えば、淡いピンク）の彩度が向上したように見えるプリントに仕上がっており、本発明の有効性を示していた。
【００２６】
図１は、上記実施例におけるメトリック・クロマ基準による濃度補正の概要を模式的に示す図である。
図の横軸は彩度（メトリック・クロマ値Ｃ＊　ａｂ）、縦軸は明度（Ｌ＊　）で、また、曲線ＲＰはここで用いる出力媒体の色再現領域を示している。図１では、明るい鮮やかな色（例えば、淡いピンクとする）、すなわち、図１の点線で囲んだエリアＡでは、メトリック・クロマ値Ｃ＊　ａｂがＣ＊　ａｂＬ以下のとき、白の濃度を上げる（シフトさせる）ことを示している。
【００２７】
なお、上記濃度補正においては、Ｃ＊　ａｂが、Ｃ＊　ａｂＬを越え、Ｃ＊　ａｂＨ以下である場合（図１中の点線で囲んだエリアＢ）には、上記シフト量と、Ｃ＊　ａｂＨ＜Ｃ＊　ａｂの補正なし（図１中の点線で囲んだエリアＣ）との間を、滑らかに接続するようにするのが好ましいことはいうまでもない。
【００２８】
上記実施例によれば、画像中の白色部分に比較して、鮮やかな明るい色の彩度が向上したようにプリントの視覚的な仕上がりを改善することができ、実際上のプリントの見栄えを向上させることができた。
【００２９】
次に、第２の実施例として、上記実施例に示した濃度補正に加えて、さらに、プリント中の鮮やかな色の高濃度部分（図１中の点線で囲んだエリアＤ）で、その鮮やかな色の補色となる色の濃度を低下させることにより、鮮やかな色の彩度向上を図ったプリントを作成する例を説明する。
【００３０】
本実施例においては、実施例１で作成した画像データに対して、さらに、鮮やかな色の補色成分の濃度を低下させた画像データを作成する。こうして得た画像データを前述のレーザプリンタでカラープリント感材上に出力し、プリントを作成した。
【００３１】
以下、上述の実施例において採用している、彩度の高い色の補色成分を下げる際に、彩度の高い色の補色成分を、３色中の最大濃度との差に係数をかける方法で実施する方法を説明する。
【００３２】
【数４】
2004125910.tif 000006
【００３３】
式（１０）では、３色中の最大濃度Ｄ（ｍａｘ　：ＢＧＲ）と元の濃度Ｄ０　（ｂ，ｇ，ｒ）との差分に係数Ｆを掛けているが、ここで係数Ｆの値を１．　０以上とすると、補色成分を減らすことになり、彩度が向上した画像を得ることができる。
【００３４】
図２は、上記実施例における濃度補正の状況を説明する図である。
図２に示すのは、彩度の高い色として赤を取り上げた場合で、本実施例に示す濃度補正は、赤の主成分であるマゼンタ（Ｍ）およびイエロー（Ｙ）に対して、不正吸収として混在するシアン（Ｃ）の濃度を下げて、これらの主吸収と不正吸収との差分を大きくすることが、赤の彩度を上げることに繋がることを示しているものである。
【００３５】
こうして作成したプリントも、鮮やかな色の彩度が向上し、見栄えのよいプリントに仕上がっており、本発明の効果が大きいことを示していた。なお、この効果は、プリントサイズが大きい場合（少なくとも、六切り以上）に、特に顕著に現われる。
【００３６】
上記各実施例においては、濃度シフト量ｄＤを、Ｃ＊　ａｂの上限Ｃ＊　ａｂＨ，下限Ｃ＊　ａｂＬを基準として調整するようにした例を示したが、次に、これに加えて、Ｌ＊　の値をも考慮して調整するようにした実施例を示す。
【００３７】
本実施例においては、図１に示した、出力媒体の色再現域内での画素の存在位置を示す際に、Ｃ＊　ａｂの上限Ｃ＊　ａｂＨ，下限Ｃ＊　ａｂＬに加えて、新たに、濃度シフト量ｄＤをＬ＊　の値により調整するようにした点が特徴である。
【００３８】
すなわち、本実施例においては、下記の式（１１）〜式（１３）に示すように、前出の式（７）〜式（９）の右辺に、Ｌ＊　の限定値Ｌ＊　Ｓの値に基づく修正項を付加したものであり、濃度シフト量ｄＤをＬ＊　の値により調整するようにしたものである。Ｌ＊　の限定値Ｌ＊　Ｓの値は、ここでは５０としている。
【００３９】
【数５】
2004125910.tif 000007
【００４０】
本実施例によれば、実施例１の場合よりもより明確に、画像中の白色部分に比較して、鮮やかな明るい色の彩度が向上したようにプリントの視覚的な仕上がりを改善することができ、プリントの見栄えを向上させることができた。
【００４１】
図３は、前述の高彩度の色の定義の別の態様を説明する図である。図３の示すところは、Ｃ＊　ａｂ，Ｌ＊　座標系で表わした出力媒体の色再現領域ＲＰ内で、例えば、Ｃ＊　ａｂの値がＬ＊　の全域にわたってその範囲の５０％以上である場合（図中のハッチングの部分）を、高彩度の色と定義することが可能であることを例示しているものである。この場合には、上記高彩度の色の領域内でＬ＊　の値がその範囲値の７０％以上である場合が高彩度の明るい色（図中のＥで示される部分）、Ｌ＊　の値がその範囲の３０％以下である場合が高彩度の色の高濃度部等（図中のＦで示される部分）と定義することが可能である。
ここで、前述のように、Ｌ＊　の範囲はメトリック色相角により変わるので、対象とするメトリック色相角におけるＬ＊　の範囲に対してのパーセンテージで表わしている。
【００４２】
なお、上記各実施形態はいずれも本発明の一例を示したものであり、本発明はこれらに限定されるべきものではなく、本発明の要旨を逸脱しない範囲内において適宜の変更または改良を行ってもよいことはいうまでもない。
【００４３】
【発明の効果】
以上、詳細に説明したように、本発明によれば、プリント（反射プリント）の画像中の鮮やかな色の再現性を向上させるプリントの作成方法を実現できるという効果が得られる。
【００４４】
より具体的には、観察時に見かけ上、鮮やかさ，透明感が増して見えるプリントの作成方法を実現することが可能になるという効果が得られるものである。
【図面の簡単な説明】
【図１】一実施例における、メトリック・クロマ基準による濃度補正の概要を模式的に示す図である。
【図２】一実施例における濃度補正の状況を説明する図である。
【図３】本発明における高彩度の色の別の定義を説明する図である。
【符号の説明】
Ａ　明るい鮮やかな色の再現域（濃度補正をする領域）
Ｂ　領域（エリア）Ａ，Ｃ間を滑らかに繋ぐ領域
Ｃ　濃度補正なしの領域
Ｄ　鮮やかな色の高濃度領域
Ｅ　明るい鮮やかな色の再現域
Ｆ　鮮やかな色の高濃度領域
【図１】
2004125910.tif 000008
【図２】
2004125910.tif 000009
【図３】
2004125910.tif 000010